(57)【要約】【課題】扉の幅方向一側の上部を扉枠の上枠に対してピン支承する上部扉側部材のピンの下端に付属するつまみの露出をなくした扉支持装置を提供する。【解決手段】扉の幅方向一側の上部に固定される上部扉側部材の上部ピン３１と、これを上向きに付勢するコイルばね３４とが略筒状の側壁カバー３２に包囲され、側壁カバーの下端開口を塞ぐ下面カバー３８が設けられる。上部ピンの先端は上枠側部材の穴に回転可能に挿入されることにより扉がピン支承され、上部ピンの下端は下面カバーに対して実質的に上下移動不能に連結される。下面カバーをコイルばねの付勢に抗して下方に引くことにより上部ピンを上枠側部材の穴から外してピン支承を解除することができる。下面カバーが側壁カバーに密接した状態においてこれらの側面は略面一となって外観上一体化したカバー構造を与える。【選択図】図５
2008008106.tif 000002
【特許請求の範囲】
【請求項１】
扉の幅方向一側の上部に固定される上部扉側部材と、上部扉側部材と上下に対向する位置において扉開口部の上枠に固定される上枠側部材とから成り、上部扉側部材は上下摺動可能である上部ピンと、上部ピンを上向きに付勢する付勢手段と、これら上部ピンおよび付勢手段を包囲する略筒状の側壁カバーと、側壁カバーの下端開口を塞ぐように取り付けられる下面カバーと、上部ピンの下端を下面カバーと連結する連結手段とを有し、一方、上枠側部材は上部ピンを嵌入する穴を有しており、上部ピンの先端が上枠側部材の穴に回転可能に挿入されることにより扉がピン支承され、下面カバーを付勢手段の付勢力に抗して下方に引くことにより上部ピンを上枠側部材の穴から外して該ピン支承を解除可能に構成されたことを特徴とする扉支持装置。
【請求項２】
下面カバーは付勢手段の付勢力により常態において側壁カバーに密接しており、この密接状態において側壁カバーの外側面と下面カバーの側面とが略面一となって外観上一体化したカバー構造を与えることを特徴とする、請求項１記載の扉支持装置。
【請求項３】
上部ピンの下端に軸径よりも大きな外径を有する端板が一体に設けられ、この端板が前記連結手段により実質的に上下移動不能且つ水平方向に移動可能に下面カバーに対して連結されることを特徴とする、請求項１または２記載の扉支持装置。
【発明の詳細な説明】
【技術分野】
【０００１】
本発明は、扉をピン支承により回転可能に支持する扉支持装置に関する。
【背景技術】
【０００２】
扉をピン支承により回転可能に支持する扉支持装置としては、下記特許文献１に記載されるものがある。
【特許文献１】特開２００５−１３３５２６号公報  この従来技術によれば、扉の幅方向一側の上部を扉枠の上枠に対してピン支承する上部扉支持装置が上部扉側部材と上枠側部材とから成り、該一側の下部を床に対してピン支承する下部扉支持装置が下部扉側部材と床側部材とから成る。
【０００３】
上部扉支持装置の上部扉側部材は、上方にばね付勢されたピンを有し、このピンの先端が上枠側部材の穴に回転自在に嵌入されることにより、扉上部におけるピン支承がなされる。また、ピンの下端にはつまみが設けられ、このつまみを下方に引くことによりピンの先端が上枠側部材の穴から外れるようになっている。
【発明の開示】
【発明が解決しようとする課題】
【０００４】
ところが、この従来技術による上部扉支持装置においては、前記つまみが上部扉側部材の下方に露出しているため、何らかの原因でこのつまみが引かれると、扉上部におけるピン支承が解除され、扉上部が上枠から外れてしまう。
【０００５】
また、このつまみが下方に露出していることから見栄えが悪くなるだけでなく、使用者がつまみに引っかかって思わぬ傷害を受けるおそれもあり、安全上の配慮も必要であった。
【０００６】
また、従来技術においてはピンが左右方向（水平方向）において固定された位置に設けられているので、建付の精度が悪いとピンの先端が上枠側部材の穴に入らない場合があった。
【０００７】
本発明の課題は、扉の幅方向一側の上部を扉枠の上枠に対してピン支承する上部扉支持装置における上部扉側部材のピンの露出をなくし、見栄えを良くすると共に、不用意に引かれることによって扉上部が上枠から外れることがなく、且つ、使用者がつまみに引っかかって思わぬ傷害を受けることのない構造を有する扉支持装置を提供することである。
【課題を解決するための手段】
【０００８】
この課題を解決するため、請求項１に係る本発明は、扉の幅方向一側の上部に固定される上部扉側部材と、上部扉側部材と上下に対向する位置において扉開口部の上枠に固定される上枠側部材とから成り、上部扉側部材は上下移動可能である上部ピンと、上部ピンを上向きに付勢する付勢手段と、これら上部ピンおよび付勢手段を包囲する略筒状の側壁カバーと、側壁カバーの下端開口を塞ぐように取り付けられる下面カバーと、上部ピンの下端を下面カバーと連結する連結手段とを有し、一方、上枠側部材は上部ピンを嵌入する穴を有しており、上部ピンの先端が上枠側部材の穴に回転可能に挿入されることにより扉がピン支承され、下面カバーを付勢手段の付勢力に抗して下方に引くことにより上部ピンを上枠側部材の穴から外して該ピン支承を解除可能に構成されたことを特徴とする扉支持装置である。
【０００９】
請求項２に係る本発明は、請求項１記載の扉支持装置において、下面カバーは付勢手段の付勢力により常態において側壁カバーに密接しており、この密接状態において側壁カバーの外側面と下面カバーの側面とが略面一となって外観上一体化したカバー構造を与えることを特徴とする。
【００１０】
請求項３に係る本発明は、請求項１または２記載の扉支持装置において、上部ピンの下端に軸径よりも大きな外径を有する端板が一体に設けられ、この端板が前記連結手段により実質的に上下移動不能且つ水平方向に移動可能に下面カバーに対して連結されることを特徴とする。
【００１１】
本発明の扉支持装置は、扉枠を有し、その扉枠の開口部に水平面内での回転によって開閉する扉に適用可能である。この場合、扉は片側開きであっても両側開き（観音開き）であっても良い。扉枠は、上枠と一対の縦枠を有する三方枠（または略門形）である。ピン支承はピボットヒンジに相当し、ピン周りの回転運動のみが自由で、軸方向や軸に直角の方向の移動を規制する支承方式である。
【発明の効果】
【００１２】
請求項１に係る扉支持装置によれば、上部扉側部材の上部ピンの下方域全体が側壁カバーと下面カバーによって覆われており、ピン支承を解除するための操作部が露出していないので、見栄えが良いだけでなく、不用意に引かれることによって扉上部が上枠から外れることがなく、且つ、使用者がつまみに引っかかって傷害を受けることもない。この扉支持装置によれば、下面カバー自体がピン支承を解除するための操作部として働く。
【００１３】
請求項２に係る扉支持装置によれば、下面カバーが、上部ピンを上向きに付勢する付勢手段の付勢力により常時は側壁カバーと外観上一体化したカバー構造を与えるので、違和感のない外観を与えることができる。
【００１４】
請求項３に係る扉支持装置によれば、上部ピン下端の端板が下面カバーに対して水平方向に移動可能に連結されるので、上部ピンが左右方向に微調整移動されてもこれを端板の移動ストロークで吸収することができ、側壁カバーおよび下面カバーの位置を変える必要がない。
【発明を実施するための最良の形態】
【００１５】
図１は、本発明に係る扉支持装置を適用した扉装置の実施形態を示す正面図である。この扉装置は、扉枠１と床１３で形成される開口部１４に扉１７を設けたものである。扉枠１は、上枠３および左右縦枠５、６を有する三方枠（または門形枠）で、バリアフリーのために下枠が無い。扉１７は片開きで、この実施形態では右縦枠６側を回転軸として、扉枠１の開口部１４に対して水平面内で回転するように取り付けられる。
【００１６】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などを使用することができる。たとえば主として木質繊維板（ＭＤＦなど）で形成され、表面に化粧材が設けられたものを扉枠１および扉１７に用いることができる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１７】
扉１７は、その幅方向１９の右側（一側）２１の上部および下部において、それぞれ上部扉支持装置２５および下部扉支持装置５０によりピボットヒンジ（ピン支承）により支持される。ピボットヒンジは、その軸が垂直方向に設けられたピン周りの水平面内での回転が可能である。また、扉１７の左側（他側）で中間高さ位置寄りには取手２４が設けられる。
【００１８】
床１３は、木質材、無機材など材料には限定されないが、特に木質系材料で形成した床材の場合には下部扉支持装置５０の床側部材６０の固定を木ねじ、釘などで固定することができる。木質系材料は、合板、木質繊維板（ＭＤＦなど）、木削片板、単板積層板などである。床１３の表面には化粧材が設けられるが、扉枠１および扉１７について既述した化粧材と同じ材質のものを使用することができる。
【００１９】
図２は図１におけるＡ−Ａ線断面図であり、図３は図１におけるＢ−Ｂ線断面図である。扉１７が閉じられた状態で扉１７は左右縦枠５、６および上枠３の幅方向中央に設けられた戸当り８，９，１０に当接する。扉１７の閉じ側となる縦枠５の戸当り８および上枠３の戸当り１０には緩衝片１１，１２が設けられる。緩衝片１１，１２は、扉１７が閉じられた際の衝撃と衝撃音を小さくする。
【００２０】
図３と共にさらに図４〜図８を参照して、上部扉支持装置２５の詳細構成について説明する。上部扉支持装置２５は、扉枠１の上枠３側に固定される上枠側部材２７と、扉１７の上部に固定される上部扉側部材２９を有する。
【００２１】
上部扉側部材２９は、板状の取付片２９ａと、この取付片２９ａの一辺片側寄りから垂下する垂下片２９ｂと、この垂下片２９ｂの両側から扉前方に向けて突出する一対の軸受片２９ｃ，２９ｄとを有する。取付片２９ａは３箇所のビス孔３０を有し、各ビス孔３０に通したビス（図示せず）により扉１７の上木口１８に固定される。
【００２２】
上部扉側部材２９の垂下片２９ｂおよび軸受片２９ｃ，２９ｄで囲まれる空間内にはブロック３５が装着される。ブロック３５は、矩形断面部分３５ａと、略円形断面部分３５ｂとを有して一体に形成された部材であり、その矩形断面部分３５ａを水平方向に貫通する雌ねじ３６が形成されている。
【００２３】
上部扉側部材２９の軸受片２９ｃ，２９ｄには、水平方向に整列した位置に皿状孔（符号なし）が設けられ、外周に雄ねじ３８が形成された水平方向調整ねじ３７がこれら皿状孔に挿入されると共にブロック矩形断面部分３５ａの雌ねじ３６に螺合される。水平方向調整ねじ３７の先端３７ｂ側は回動可能なように拡径してかしめられる。このような構成において、水平方向調整ねじの頭３７ａを回動操作すると、水平方向調整ねじ３７が、軸受片２９ｃ，２９ｄに対しては相対的位置を変えずに回動するので、ブロック３５およびブロック３５と一体に構成される後述する上部ピン３１が水平方向調整ねじ３７の長手方向（図４，図６の左右方向）に移動する。これにより、上部扉支持装置２５において上部扉側部材２９の位置を扉１７の幅方向に微調整することができる。
【００２４】
上部扉側部材２９は、上下方向に摺動可能であり、コイルばね３４により常に上向きに付勢されている上部ピン３１を有しており、この上部ピン３１の先端が上枠側部材２７の穴２８に回動可能に嵌入した状態とすることによりピン支承される。
【００２５】
上部ピン３１は、ブロック３５の略円形断面部分３５ｂの略中央を上下に貫通するピン挿通孔３５ｃに嵌入されてコイルばね３４に上向き付勢されつつ該穴に対して摺動可能であり、先端部３１ａと、中間部３１ｂと、基端部３１ｃと、端板３１ｄを有して一体に構成されている。ピン先端部３１ａはコイルばね３４の付勢によりブロック３５から上方に突出しており、この突出部が上枠側部材２７の穴２８に嵌入する。ピン中間部３１ｂはピン先端部３１ａよりも若干小径とされており、これによってピン挿通孔３５ｃとの間に形成される隙間を利用してコイルばね３４がピン中間部３１に巻装され、ピン先端部３１ａを上向きに押し上げるように付勢している。ピン基端部３１ｃは上端に雄ねじ部３１ｅを備え、この雄ねじ部３１ｅを、ピン中間部３１ｂの下端に形成された雌ねじ部（符号なし）にねじ込むことによってピン基端部３１ｃがピン中間部３１ｂと一体化される。端板３１ｄはピン基端部３１ｃより大径の略円板状であり、ピン基端部３１ｃの下端に固着されている。
【００２６】
以上に述べた上部扉側部材２９が有する部材、すなわち垂下片２９ｂ、軸受片２９ｃ，２９ｄ、ブロック３５、上部ピン３１およびこれらに関連する部材は、その周囲を側壁カバー３２で覆われている。側壁カバー３２は合成樹脂や金属材料などで形成された筒状部材であり、その下端には外周部を切り欠いて形成された段部３２ａが設けられている。
【００２７】
側壁カバー３２の下端段部３２ａに、略皿状ないし蓋状の下面カバー３８が冠着される。下面カバー３８は後述するように上部ピン３１下端の端板３１ｄを相対的上下移動不能に係止しているので、上部ピン３１を上向き付勢するコイルばね３４の付勢力によって、下面カバー３８を下方に引き下げる力が作用しない限り、側壁カバー３２に密接する冠着状態に保持される。この冠着状態において、側壁カバー３２の側面３２ｂと下面カバー３８の側面３８ａは略面一となって外観上側壁カバー３２と下面カバー３８が一体化したカバー構造体を与える。下面カバー３８も側壁カバー３２と同様に合成樹脂や金属材料などで形成される。
【００２８】
下面カバー３８の水平底面３８ｂ上には抑えガイド３９が固着されている。抑えガイド３９は、上部ピン３１下端の端板３１ｄの厚さと略同一であるかそれより若干大きい寸法の高さを有する略楕円形状の周縁３９ａと、その上端を長孔３９ｃ部分を除いて閉止する上板３９ｂとを有する。長孔３９ｃは図６左右方向（扉１７の幅方向）に長く形成され、その溝幅はピン基端部３１ｃの径と同一またはそれより若干大きく且つ端板３１ｄの径より十分に小さく設定される。このような構成により、端板３１ｄは、抑えガイド３９の周縁３９ａと上板３９ｂおよび下面カバー３８の水平底面３８ｂとの間に囲まれた空間３９ｄ内に図６左右方向に移動可能且つ離脱不能に収容される。すなわち下面カバー３８が側壁カバー３２に冠着された状態で上部ピン３１を左右方向に微調整が可能であり、その先端部３１ａを上枠側部材２７の穴２８に確実に嵌入させることができる。
【００２９】
この上部扉側部材２９によれば、上部ピン３１を含むすべての構成要素が側壁カバー３２と下面カバー３８とに包囲されているので、ゴミやホコリなどの異物が入り込んで機能を阻害することがない。さらに、この上部扉側部材２９では、下面カバー３８自体が、扉上部におけるピン支承を解除するための操作部（従来技術におけるつまみに相当するもの）として機能するが、側壁カバー３２と一体化した外観を与えているので、誤操作によって上部ピン３１が穴２８から外れてしまう危険性を回避ないし低減させることができる。
【００３０】
符号４０は下面カバー３８の一端から直立するガイドピンであり、側壁カバー３２に形成されたピン孔４１に挿入されることにより、下面カバー３８を引き下げたときの回り止めとして機能する。
【００３１】
上枠側部材２７は、図８に示すように、板状の取付片２７ａと、その一辺側から延在する軸受片２７ｂとを一体に有して成る。取付片２７ａには４箇所に取付孔２７ｃが設けられ、これら取付孔２７ｃに通したビス（図示せず）により上枠３に固定される。軸受片２７ｂには穴２８が設けられ、この穴２８に先述のピン先端部３１ａが回転可能且つ抜き差し可能に嵌入される。さらに、軸受片２７ｂの周囲には所要の高さ突出するリブ２７ｄが設けられているので、ピン先端部３１ａを嵌入して安定したピン支承を行うための十分な嵌入ストロークを確保している。
【００３２】
図３と共にさらに図９および図１０を参照して、下部扉支持装置５０の詳細構成について説明する。下部扉支持装置５０は、扉１７の下部に固定される下部扉側部材５２と、床１３に固定される床側部材６０を有する。下部扉側部材５２は、上部扉支持装置２５の上部扉側部材２９に対して上下に対向する位置に設けられ、その形状は上部の上部扉側部材２９に対して略反対勝手である。下部扉支持装置５０における下部扉側部材５２は、下部ピン６１に対して水平方向（図９の左右方向）に微調整可能であるので、扉１７の下部を扉枠１に対して適正な位置に建付け調整することができる。さらに、下部扉側部材５２は、下部ピン６１に対して上下方向に微調整可能であるので、扉１７の下部を床に対して適正な高さ位置に建付け調整することができる。上部扉支持装置２５の上部扉側部材２９に設けられる上部ピン３１は上下方向に摺動可能であるので、下部ピン６１の上下方向の高さ調整に応じて上部ピン３１が上下摺動する。
【００３３】
下部扉支持装置５０の下部扉側部材５２と床側部材６０とは、床側部材６０に設けられる下部ピン６１が下部扉側部材５２に設けられる孔（図示せず）に挿入されることによりピン支承される。下部扉側部材５２に設けられる孔に下部ピン６１が差し込まれることにより下部扉側部材５２がピン先端に載置され、下部ピン６１は略扉１７の重量を支える。
【００３４】
床側部材６０は、図１０に示すように、前述の下部ピン６１が座板６２から上方に突出するように設けられて成る。座板６２には２箇所に長孔６３が設けられ、これら長孔６３に通したビス（図示せず）により床１３（図１，図３）に固定される。
【００３５】
下部扉側部材５２は、板状の取付片５３ａと、この取付片５３ａの一辺片側寄りから垂立する垂立片５３ｂと、この垂立片５３ｂの両側から前方に突出する一対の軸受片５３ｃ，５３ｄと、これら垂立片５３ｂおよび軸受片５３ｃ，５３ｄを覆う着脱可能な下部カバー５４とを有する。取付片５３ａは３箇所のビス孔６６を有し、各ビス孔６６に通したビス（図示せず）により扉１７の下木口１６に固定される。
【００３６】
下部扉側部材５２の垂立片５３ｂおよび軸受片５３ｃ，５３ｄで囲まれる空間内にはブロック５５が装着される。ブロック５５は、矩形断面部分５５ａと、湾曲形状断面部分５５ｂとを有して一体に形成された部材であり、その矩形断面部分５５ａを水平方向に貫通する雌ねじ（符号なし）が形成されている。
【００３７】
下部扉側部材５２の軸受片５３ｃ，５３ｄには、水平方向に整列した位置に皿状孔（符号なし）が設けられ、外周に雄ねじ（符号なし）が形成された水平方向調整ねじ５６がこれら皿状孔に挿入されると共にブロック矩形断面部分５５ａの雌ねじに螺合される。水平方向調整ねじ５６の先端（図９において右端）側は回動可能なように拡径してかしめられる。このような構成において、水平方向調整ねじ５６の頭部（図９において左端）を回動操作すると、水平方向調整ねじ５６が、軸受片５３ｃ，５３ｄに対しては相対的位置を変えずに回動するので、ブロック５５が水平方向調整ねじ５６の長手方向（図８の左右方向）に移動する。これにより、下部扉支持装置５０において下部扉側部材５２の位置を扉１７の幅方向に微調整することができる。
【００３８】
また、ブロック５５の湾曲形状断面部分５５ｂを上下方向に貫通する孔５５ｃが、下部ピン６１が回動可能に挿入できる大きさを有するものとして設けられている。孔５５ｃには、その略全長に亘って内周に雌ねじ５５ｄが形成され、この雌ねじ５５ｄに上下方向調整ねじ５７が螺合している。また、上下方向調整ねじ５７の下面に接して座板５８が設けられており、下部ピン６１との間に介在している。座板５８は上下方向調整ねじ５７の回動を円滑にする。座板５８には所定箇所に突起（図示せず）が形成され、この突起が孔５５ｃの縦軸方向に形成される細溝（図示せず）に嵌入されることで回り止めされている。
【００３９】
以上の構成において、上下方向調整ねじ５７を回動すると、孔５５ｃ内周の雌ねじ５５ｄとの螺合を介して上下方向調整ねじ５７が上下方向に移動し、これにより下部扉側部材５２が上下移動するので、扉１７の高さを微調整することができる。
【００４０】
下部カバー５４は下部扉側部材５２の略全体を包囲しており、磁石６４により装着され且つ取り外し可能である。磁石６４はカバー５４の内側に接着、かしめなどの任意の手法で固定され、下部扉側部材５２の構成要素のうち鋼などの金属で形成されるもの（たとえば取付片５３ａ、垂立片５３ｂ、軸受片５３ｃ，５４ｄ、ピン６１）に吸引されて下部カバー５４の装着状態を安定化する。
【図面の簡単な説明】
【００４１】
【図１】本発明に係る扉支持装置を適用した扉装置の一実施形態を示す正面図である。
【図２】図１におけるＡ−Ａ線断面図である。
【図３】図１におけるＢ−Ｂ線断面図である。
【図４】図１における上部扉支持装置の一実施形態の詳細構成を示し、（ａ）はその正面図、（ｂ）は図４（ａ）におけるＣ−Ｃ線断面図である。
【図５】図４（ａ）におけるＤ−Ｄ線断面図である。
【図６】図４（ａ）におけるＥ−Ｅ線断面図である。
【図７】図４（ａ）におけるＦ−Ｆ線断面図である。
【図８】この上部扉支持装置の上枠側部材を示し、（ａ）はその平面図、（ｂ）はその正面図である。
【図９】図１における下部扉支持装置の一実施形態の詳細構成を示す平面図（ａ）および正面図（ｂ）である。
【図１０】図９の下部扉装置の床側部材を示し、（ａ）はその平面図、（ｂ）はその正面図である。
【符号の説明】
【００４２】
１  扉枠
３  上枠
５，６  縦枠
１３  床
１６  扉の下木口
１７  扉
１８  扉の上木口
２５  上部扉支持装置
２７  上枠側部材
２８  穴
２９  上部扉側部材
３１  上部ピン
３１ｅ  端板
３２  側壁カバー
３３  つまみ
３４  コイルばね
３７  水平方向調整ねじ
３８  下面カバー
３９  抑えガイド
４０  ガイドピン
５０  下部扉支持装置
５２  下部扉側部材
５４  下部カバー
５６  水平方向調整ねじ
５７  上下方向調整ねじ
６０  床側部材
【図１】
2008008106.tif 000003
【図２】
2008008106.tif 000004
【図３】
2008008106.tif 000005
【図４】
2008008106.tif 000006
【図５】
2008008106.tif 000007
【図６】
2008008106.tif 000008
【図７】
2008008106.tif 000009
【図８】
2008008106.tif 000010
【図９】
2008008106.tif 000011
【図１０】
2008008106.tif 000012